(57)【要約】      （修正有）【課題】芝生に挿し込む際の抵抗が少なく、かつ、芝生への挿入回数が少なくても簡単にディボットを修復することができるディボット修復具を提供する。【解決手段】人の手に把持される把持部１０と、先端が芝生に刺し込まれる棒状の挿入部１１からなるゴルフ用のディボット修復具１において、把持部が、挿入部の長手方向と垂直に交差する仮想面に対して傾斜する平面又は曲面の傾斜面状の押圧部１２を備え、挿入部は一本であることを特徴とするディボット修復具を提供する。押圧部が、挿入部の根元から押圧部の縁部に向かって放射状に広がっている１又は複数の溝部を備えることにより、さらに効率よくかつ平坦にディボットを修復することができる。【選択図】図１
0003195699.tif 000002
【実用新案登録請求の範囲】
【請求項１】
人の手に把持される把持部と、先端が芝生に刺し込まれる棒状の挿入部からなるゴルフ用のディボット修復具において、
前記把持部は、前記挿入部の長手方向と垂直に交差する仮想面に対して傾斜する平面又は曲面の傾斜面状の押圧部を備え
前記挿入部は一本であること
を特徴とするディボット修復具。
【請求項２】
請求項１に記載のディボット修復具において、
前記押圧部が、前記挿入部の根元から前記押圧部の縁部に向かって放射状に広がっている１又は複数の溝部を備えていることを特徴とするディボット修復具。
【請求項３】
請求項１又は請求項２のいずれか１項に記載のディボット修復具において、
前記挿入部を折り畳んで、把持部に収納することができる機構を備えることを特徴とするディボット修復具。
【請求項４】
請求項１又は請求項２のいずれか１項に記載のディボット修復具において、
前記挿入部の先端を覆う鞘部を備えることを特徴とするディボット修復具。
【考案の詳細な説明】
【技術分野】
【０００１】
本考案は、ゴルフ場でグリーン上の芝生にボールが落ちた時に生じる芝生の窪みであるディボットを修復するときに用いるディボット修復具に関する。
【背景技術】
【０００２】
ゴルフで、ボールをグリーンに乗せるときには、グリーンは他のプレイエリアより高い位置にあり、その周囲はラフに囲まれていることから、ボールを打ち上げてグリーン上に落とす場合が多い。この場合、落ちてきたボールがグリーン上の芝生に土手と呼ばれる縁部の盛り上がりを伴う窪みを生じさせるという不具合を生じさせる。
【０００３】
このような芝生上の窪みをディボットと呼ぶが、ディボットのある芝生で後続のプレーヤーが競技を行うと、ゴルフボールの転がりが不規則になり、競技を思うように行うことができなくなり、不公平が生じる。そこで、プレーヤー又はキャディは、芝生に生じたディボットを修復しながらプレーを行わなくてはならないが、ディボットをゴルフクラブやゴルフシューズなどでならすのには手間がかかる上に、熟練者でなければ、後続のプレーヤーの競技に支障がないようきれいにならすことは困難である。ここで、ディボットの修復に時間がかかり、プレーの進行が遅れると、やはり後続のプレーヤーに迷惑をかけることになる。
【０００４】
このような問題を解決するために、人の手に把持される把持部と、先端が芝生に刺し込まれる２本の爪部からなるゴルフ用グリーンフォークにおいて、前記把持部と前記爪部との中間部に前記把持部および前記爪部よりも厚肉の脹らみを設けたことを特徴とするゴルフ用グリーンフォークが知られている（特許文献１）。
【０００５】
さらに、このような問題を解決するために、ゴルフティーとしても使用可能なディボット修復具であって、ゴルフボールを戴置する戴置面及び使用者の指で把持できる凹面を備える頭部と、前記頭部を支持する軸であり先端を尖鋭にした一本の先端部と、を備えるディボット修復具が知られている（特許文献２）。
【先行技術文献】
【特許文献】
【０００６】
【特許文献１】特開平７−２１３６６１号公報
【特許文献２】実登３１８４７３５号公報
【考案の概要】
【考案が解決しようとする課題】
【０００７】
しかし、特許文献１に記載された発明などの２本の爪部を備えるゴルフ用グリーンフォークにおいては、グリーンのディボットの周辺の芝生に差し込んで土を掻き寄せる際、地面が固いとフォークが二本であるために抵抗が大きく土を掻き寄せることが困難であるばかりか、地面に差し込むこと自体が困難な場合があり、また、従来のグリーンフォークでは、ディボットの窪みを無理に押し上げたり、また周囲から掻き寄せることにより、芝生の根を切ることも多く、グリーンの修復に時間がかかったりするという問題があった。
【０００８】
また、そのような問題に対応するために芝生に差し込む先端部を１本にした特許文献２に記載されたボールマーク修復具は、爪部が２本のグリーンフォークに比べて修復できる面積が狭いため、修復にかかる手間がかかり、時間が長くなる、という問題があった。
【０００９】
本考案はこのような事情に鑑みてなされたものであり、地面に差し込むことは容易でありながら、短時間で芝生のディボットを修復することができるディボット修復具を提供することを目的とする。
【課題を解決するための手段】
【００１０】
このような目的に応えるために本考案に係るディボット修復具（請求項１に記載の考案）は、人の手に把持される把持部と、先端が芝生に刺し込まれる棒状の挿入部からなるゴルフ用のディボット修復具において、前記把持部は、前記挿入部の長手方向と垂直に交差する仮想面に対して傾斜する平面又は曲面の傾斜面状の押圧部を備え前記挿入部は一本であることを特徴とする。
【００１１】
このような構成によれば、使用者は前記挿入部を抵抗なく芝生に挿し込むことができ、前記押圧部を芝生表面に生じた土手と呼ばれるディボットの縁部をつぶすように押しつけることにより、少ない挿入回数でディボットを修復することができる。
【００１２】
本考案に係るディボット修復具（請求項２に記載の考案）は、請求項１に記載のディボット修復具において、前記押圧部が、前記挿入部の根元から前記押圧部の縁部に向かって放射状に広がっている１又は複数の溝部を備えていることを特徴とする。
【００１３】
このような構成によれば、前記土手を構成する芝生や土は、前記溝部に沿って押しだされるため、溝部を備えていない押圧部よりも効率よくかつ平坦にディボットを修復することができるという利点がある。
【００１４】
本考案に係るディボット修復具（請求項３に記載の考案）は、請求項１又は請求項２のいずれか１項に記載のディボット修復具において、前記挿入部を折り畳んで、把持部に収納することができる機構を備えることを特徴とする。
【００１５】
このような構成によれば、使用者が前記ディボット修復具をシャツやスラックスのポケットに入れて持ち歩く際に、ポケットの底に前記挿入部の先端部が刺さって孔をあけたり、また、ポケットの内側に当たる肉体の一部を傷つけたりすることがないという利点がある。
【００１６】
本考案に係るディボット修復具（請求項４に記載の考案）は、請請求項１又は請求項２のいずれか１項に記載のディボット修復具において、前記挿入部の先端を覆う鞘部を備えることを特徴とする。
【００１７】
このような構成によれば、使用者が前記ディボット修復具をシャツやスラックスのポケットに入れて持ち歩く際に、ポケットの底に前記挿入部の先端部が刺さって孔をあけたり、また、ポケットの内側に当たる肉体の一部を傷つけたりすることがないという利点を備えたディボット修復具を、簡単な構造で製作することができ、製作コストを抑えることできるという利点がある。
【考案の効果】
【００１８】
以上説明したように本考案に係るディボット修復具によれば、操作が簡単で、かつ、短時間で、きれいにディボットをならすことができるという優れた効果がある。
【図面の簡単な説明】
【００１９】
【図１】本考案に係るディボット修復具の一実施例を示し、ディボット修復具の全体斜視図である。
【図２】図１におけるディボット修復具の側面図である。
【図３】図１におけるディボット修復具の使用状態を示す図である。
【図４】図１におけるディボット修復具の別の使用状態を示す図である。
【図５】図３及び図４におけるディボット修復具の使用の仕上げに至る使用状態を示す図である。
【図６】図１におけるディボット修復具の変形例を示す図である。
【図７】本考案に係る姿勢維持・矯正具の第２の実施例を示し、ディボット修復具の全体斜視図である。
【図８】本考案に係る姿勢維持・矯正具の第３の実施例を示し、ディボット修復具の全体を裏面側から見た斜視図である。
【図９】図８におけるディボット修復具が挿入部を折り畳んで収納した状態を裏面側から見た斜視図である。
【図１０】本考案に係る姿勢維持・矯正具の第４の実施例を示し、ディボット修復具の全体を裏面側から見た斜視図である。
【図１１】図１０におけるディボット修復具が挿入部を折り畳んで収納した状態を裏面側から見た斜視図である。
【図１２】本考案に係る姿勢維持・矯正具の第５の実施例を示し、ディボット修復具の全体斜視図である。
【図１３】図１２におけるディボット修復具の挿入部を鞘部に収納した状態を示す図である。
【００２０】
本考案は以上のような構成であるので、これを図面に基づきながら本考案の実施の形態を説明する。
【実施例１】
【００２１】
図１乃至図６は本考案に係るディボット修復具の一実施例を示す。
これらの図において、全体を符号１で示すものは本考案を特徴づけるディボット修復具である。
【００２２】
図１乃至図２において、本考案に係るディボット修復具１の基本構造を示している。本考案に係るディボット修復具１は、把持部１０の一端に把持部１０の表面１３側に張り出した略半円形の押圧部１２を備え、この押圧部１２の面は、芝生に挿入する挿入部１１の長手方向の軸線２０と垂直に交差する仮想面２１に対し、所定の角度で傾斜している。
【００２３】
前記所定の角度は、０度から４５度までの角度であることが望ましく、０．５度から2.５度であればさらに望ましい。
【００２４】
前記押圧部１２は、略半円形に限定されることなく、把持部１０の表面１３側だけでなくい裏面１５側まで張り出した略円形や略楕円形でもよい。また、多角形とすることもできる。
【００２５】
前記挿入部１１は、一本の細長い円柱形状であるが、こうすることにより、芝生への挿入部が２本であるグリーンフォークよりも、芝生の抵抗が少ないため、スムースに芝生に挿入することができる。
【００２６】
前記挿入部１１は、細長い円柱形状であると製作が容易であるが、断面が略楕円形であれば、さらに芝生への挿入が容易になる。断面が多角形であっても、芝生に挿入される機能に問題のない形状で得あれば、採用しうる。前記挿入部１１が円柱状の場合の直径は、２ｍｍから１０ｍｍであることが望ましく、３．５ｍｍから６．５ｍｍであればさらに望ましい。
【００２７】
前記挿入部１１は、挿入部の根元１１ａから挿入部の先端１１ｂの長手方向の長さが、１０ｍｍから６０ｍｍが望ましく、２５ｍｍから４５ｍｍであれば、さらに望ましい。前記挿入部は、挿入部の根元１１ａから挿入部の先端１１ｂの中間の所定の位置から、先端部に向かって徐々に細くなるようにすると、芝生への挿入に際して抵抗が減り、さらに挿入しやすくなる。
【００２８】
また、前記把持部１０の表面１３の、押圧部１２にやや近い位置に凹部１４を設けると、使用者は把持部を握る際に力を入れやすく、ディボット修復作業を円滑に行うことができる。
【００２９】
本考案に係るディボット修復具１の材質は問わないが、芝生に挿入して使用する際の使用感を考慮するとやや弾力性のある素材であって、ゴルフのプレー中に携帯するものであるから軽量であることが望ましい。製作のコストや利便性を考慮すると、樹脂製が望ましいが、木製、金属製などの素材を排除するものではない。
【００３０】
前記挿入部１１は、芝生の中に挿入して使用するが、細長い構造なので破損することもある。その際に通常の樹脂製では芝生の下の土中で分解されずに残ってしまうが、素材に生分解樹脂を採用すれば、挿入部１１の一部が折れて土中に残っても、微生物などによって分解され、最終的に水と二酸化炭素に完全に分解されるので、自然環境への負担が少なくなる。したがって、前記挿入部１１又は本考案に係るディボット修復具１全体の素材は、生分解樹脂であることが望ましい。
【００３１】
図３乃至図５において、本考案に係るディボット修復具１の使用法を示している。本考案に係るディボット修復具を使用する際には、使用者は前記把持部１０を握り、前記挿入部１１を芝生表面から芝生に挿入して使用する。
【００３２】
修復対象となるディボット３２は、ゴルフボールが打ち上げられて芝生表面３１に落下した際に生じる窪みであり、ゴルフボールの重みと落下の衝撃により芝生表面が凹んだ状態になるだけでなく、凹みの周囲はやや盛り上がって、ディボットの土手３３となる。
【００３３】
図３に示すように、使用者は手３０に本考案に係るディボット修復具を握って、前記挿入部１１をディボット３２の縁の土手３３の少し外側に挿入し、（ａ）図の矢印方向に押し込むことで、（ｂ）図のように前記土手３３に前記押圧部１２を押しつけると、前記押圧部１２が接した部分がつぶされた土手３４となる。
【００３４】
図４に示す方法では、使用者は手３０に本考案に係るディボット修復具を握って、前記挿入部１１をディボット３２の縁の土手３３の少し外側に、前記芝生表面に略直角に当て、そのまま（ａ）図の矢印方向に押し込むことで、（ｂ）図のように前記土手３３に前記押圧部１２が押しつけられ、前記押圧部１２が接した部分がつぶされた土手３４となる。
【００３５】
図５の（ａ）図は、図３又は図４の作業を１回行った上体を示すが、これを何回か繰り返すことで、（ｂ）図のようにディボット全体がなだらかにならされる。中央部に多少凸凹が残る場合があるが、パターのソールで何回か軽く上からたたくことで、ディボット３２だったところは、ほぼ完全にならされる。
【００３６】
押圧面１２のない挿入部が１本のディボット修復具でこの作業を行う場合、ゆっくり丁寧に挿入しても少なくとも７〜８回、通常は２０回前後の挿入が必要となるが、本考案に係るディボット修復具を用いれば、速やかに挿入部を出し入れしても４回から１０回程度の挿入で、ディボットを修復することができる。
【００３７】
また、図７に示すように、前記把持部１０の裏面１５に凹凸を設け、滑り止め１６とすることで、使用者はさらにしっかりと把持部１０を握ることができるようになり、使い勝手が良くなる。
【００３８】
前記滑り止め１６は、凸部だけでもよく、また凹部だけでもよい。位置としては、把持部１０の表面に設けた凹部１４のちょうど裏側に当たる部分に設けると、前記凹部１４には使用者の親指が当たり、前記滑り止め１６には人差し指が当たるので、使用者は把持部１０をしっかりと握ることができる。
【実施例２】
【００３９】
図７は本考案に係るディボット修復具の第２の実施例を示す。
この図において、全体を符号２で示すものは本考案を特徴づけるディボット修復具である。
【００４０】
本考案に係るディボット修復具２において、把持部１０と挿入部１１については、実施例１と同様である。押圧部１２に、挿入部の根元１１ａを中心として押圧部１２の周縁部に向かって放射状の溝１７を設けている。
【００４１】
このような構造にすると、この押圧部１２の面が、芝生に挿入する挿入部１１の長手方向の軸線２０と垂直に交差する仮想面２１に対し、所定の角度で傾斜していることとの相乗効果で、ディボットの土手３３の表面の芝生が、放射状の溝１７に沿って押圧部１２の挿入部の根元１１ａから押圧部１２の周縁部に向かって移動しやすくなり、つぶされたディボットの土手３３をなだらかにすることがより容易になる。
【００４２】
放射状の溝１７の幅は、３ｍｍ以下が望ましく、０．３ｍｍから０．７ｍｍであればさらに望ましい。
【００４３】
放射状の溝１７の深さは、３ｍｍ以下が望ましく、０．５ｍｍから１．０ｍｍ前後であればさらに望ましい。
【００４４】
放射状の溝１７の本数は、１００本以下が望ましく、３５本から４５本であればさらに望ましい。
【実施例３】
【００４５】
図８図乃至図９は本考案に係るディボット修復具の第３の実施例を示す。
これらの図において、全体を符号３で示すものは本考案を特徴づけるディボット修復具である。
【００４６】
図８は本考案に係るディボット修復具３において、挿入部１１の折り畳み構造を示す。
挿入部収納部２２は、把持部の裏面１５側に凹設され、折り畳んでいない状態では、挿入部１１は根元側が挿入部収納部２２に収納されている。
【００４７】
挿入部１１の根元側の挿入部収納部２２に収納された部分から外側に突起状の挿入部回転軸２３が設けられている。挿入部回転軸２３は、挿入部１１の長手方向の軸線２０に垂直に交差する断面において対象の位置に２個設けられ、２個の挿入部回転軸２３の先端を結んだ直線は、把持部の裏面１５と平行である。挿入部収納部２２には、挿入部回転軸２３に対応する位置に挿入部回転軸２３の突起部と係合する溝孔状の挿入部回転軸収納部２４が設けられ、挿入部１１は、挿入部回転軸２３と挿入部回転軸収納部２４が係合して、挿入部収納部２２に枢支されている。
【００４８】
本実施例においては、挿入部１１の根元は円柱状であり、挿入部収納部２２を押圧面側から見ると、挿入部１１よりわずかに直系の大きい円形となる。この円形と把持部の裏面１５に挟まれた部分が挿入部固定用唇状部２５であり、２個の挿入部固定用唇状部２５の間には所定の幅が空けてあり、挿入部固定用唇状部２５は時把持部１０の押圧部１２側から離れるとともに徐々に小さくなる形状となるように設けられる。折り畳んでいない状態では、挿入部１１は根元で挿入部固定用唇状部２５により支えられている。
【００４９】
把持部１０は、樹脂などの弾性を有する素材で構成され、挿入部１１を把持部の裏面１５方向に回転させると挿入部固定用唇状部２５は押し広げられ、図９で示すように挿入部１１が反転すると元の形状に戻り、挿入部１１が飛び出さないように支持される。挿入部収納部２２の押圧部１２から遠い側は、やや幅広の形状とし、挿入部１１より長くすることにより、使用者は挿入部１１を引き出す際に指先を挿入部の先端１１ａにひっかけて力を入れやすくなる。
【００５０】
挿入部１１を挿入部収納部２２に収納すれば、使用者が前記ディボット修復具をシャツやスラックスのポケットに入れて持ち歩く際に、ポケットの底に前記挿入部の先端部が刺さって孔をあけたり、また、ポケットの内側に当たる肉体の一部を傷つけたりすることがないという利点がある。
【実施例４】
【００５１】
図１０図乃至図１１は本考案に係るディボット修復具の第４の実施例を示す。
これらの図において、全体を符号４で示すものは本考案を特徴づけるディボット修復具である。
【００５２】
図１０は本考案に係るディボット修復具３において、挿入部１１の折り畳み構造を示す。
挿入部収納部２２は、把持部の裏面１５側に凹設され、折り畳んでいない状態では、挿入部１１は根元側が挿入部収納部２２に収納されている。
【００５３】
挿入部１１の根元側の挿入部収納部２２に収納された部分から外側に板状の嵌合片２７が設けられている。嵌合片２７は、挿入部１１の長手方向の軸線２０に対して対象の位置に２個設けられている。挿入部収納部２２には、嵌合片２７に対応する位置に嵌合片２７と係合する嵌合孔２６が設けられ、挿入部１１は、嵌合片２７と嵌合孔２６が嵌合して、挿入部収納部２２に係止されている。
【００５４】
本考案に係るディボット修復具４をポケットに入れて持ち運ぶ際には、図１１で示すように、使用者は、挿入部１１を嵌合状態から取り外して、挿入部先端１１ｂを挿入部収納部２２の押圧部１２から遠い側に向けて、嵌合片２７と嵌合孔２６が嵌合して、挿入部収納部２２に係止されるようにすれば、ポケットの底に前記挿入部の先端部が刺さって孔をあけたり、また、ポケットの内側に当たる肉体の一部を傷つけたりすることがなく、また、単純な構造のため、製作の際にコストをセーブすることができる。
【００５５】
従って、使用者が前記ディボット修復具をシャツやスラックスのポケットに入れて持ち歩く際に、ポケットの底に前記挿入部の先端部が刺さって孔をあけたり、また、ポケットの内側に当たる肉体の一部を傷つけたりすることがないようなディボット修復具４を比較的安価に提供することができるという利点がある。
【実施例５】
【００５６】
図１２乃至図１３は本考案に係るディボット修復具の第５の実施例を示す。
これらの図において、全体を符号５で示すものは本考案を特徴づけるディボット修復具である。
【００５７】
図１２に示すように、本考案に係るディボット修復具５において、把持部１１の一部と、鞘部２８の一部に鞘部繋止紐通し孔２９を設け、鞘部繋止紐３０の両端をそれぞれの鞘部繋止紐通し孔２９に結び付ける。使用の際は、鞘部２８を挿入部１１から外しておく。
【００５８】
本考案に係るディボット修復具５をポケットに入れて持ち運ぶ際には、図１３で示すように、鞘部２８を挿入部１１にかぶせておく。本実施例はこのような単純な構造のため、製作の際にコストをセーブすることができる。
【００５９】
従って、使用者が前記ディボット修復具をシャツやスラックスのポケットに入れて持ち歩く際に、ポケットの底に前記挿入部の先端部が刺さって孔をあけたり、また、ポケットの内側に当たる肉体の一部を傷つけたりすることがないようなディボット修復具５を比較的安価に提供することができるという利点がある。
【００６０】
なお、本考案は上述した実施の形態で説明した構造には限定されず、各部の構成等を適宜変更し得ることはいうまでもない。
【符号の説明】
【００６１】
１  第１実施例のディボット修復具
２  第２実施例のディボット修復具
３  第３実施例のディボット修復具
４  第４実施例のディボット修復具
１０  把持部
１１  挿入部
１１ａ  挿入部の根元
１１ｂ  挿入部先端
１２  押圧部
１３  把持部の表面
１４  把持部の表面の凹部
１５  把持部の裏面
１６  把持部の裏面の滑り止め
１７  押圧部の放射状溝
２０  挿入部の軸線
２１  挿入部の軸線と略垂直に交差する仮想面
２２  挿入部収納部
２３  挿入部回転軸収納部
２４  挿入部回転軸
２５  挿入部固定用唇状部
２６  挿入部嵌合孔
２７  挿入部嵌合片
２８  鞘部
２９  鞘部繋止紐通し孔
３０  鞘部繋止紐
３１  芝生表面
３２  ディボット
３３  ディボットの土手
３４  つぶされたディボットの土手
４０  使用者の手
【図１】
0003195699.tif 000003
【図２】
0003195699.tif 000004
【図３】
0003195699.tif 000005
【図４】
0003195699.tif 000006
【図５】
0003195699.tif 000007
【図６】
0003195699.tif 000008
【図７】
0003195699.tif 000009
【図８】
0003195699.tif 000010
【図９】
0003195699.tif 000011
【図１０】
0003195699.tif 000012
【図１１】
0003195699.tif 000013
【図１２】
0003195699.tif 000014
【図１３】
0003195699.tif 000015